(57)【要約】【課題】ノブと連結アームがしっかり固定されてガタツキがなく、他人に簡単に扉を開けられないようにしてセキュリティー性を高めた石材製扉のノブロック機構を提供するものである。【解決手段】石材で形成された観音開きの扉２Ａ、２Ｂの前面に突設した左右の金属製ノブ３Ａ、３Ｂと、これを連結する連結アーム８とからなる石材製扉のノブロック機構において、前記ノブ３Ａ、３Ｂは、外周に環状溝５Ａ、５Ｂを形成すると共に、これとノブ本体４Ａ、４Ｂの前面との間に中空ビス１８を螺合し、ノブ３Ａに回動自在に取付けた連結アーム８を回動させて切欠部９を他方のノブ３Ｂの環状溝５Ｂの係合部１０に係合させた状態で、ノブ３Ａ、３Ｂに取付けた中空ビス１８をレンチで回転して前進させてさせて連結アーム８を固定し、更にノブキャップ７Ａ、７Ｂを螺合して中空ビス１８を遮蔽するようにしたものである。【選択図】  図６ 
2005226239.tif 000002
【特許請求の範囲】
【請求項１】
石材で形成された観音開きの扉の前面に突設した左右の金属製ノブと、これを連結する連結アームとからなる石材製扉のノブロック機構において、前記ノブは、扉側に固定されるノブ本体の外周に環状溝を形成すると共に、この環状溝とノブ本体の前面との間にネジ孔を貫通してここに中空ビスを螺合し、更に前記連結アームは、一方のノブ本体に形成した環状溝の中心を軸として回動自在に支持すると共に、先端側に、他方のノブ本体に形成した環状溝の中心の係合部に着脱自在に係合する切欠部を形成した構成をなし、前記連結アームを回動させて切欠部を他方のノブ本体に形成した係合部に係合させた状態で、ノブ本体に取付けた中空ビスを回転して前進させて連結アームを固定するようにしたことを特徴とする石材製扉のノブロック機構。
【請求項２】
石材で形成された観音開きの扉の前面に突設した左右の金属製ノブと、これを連結する連結アームとからなる石材製扉のノブロック機構において、前記ノブは、扉側に固定されるノブ本体と、ノブキャップの分離構造とし、前記ノブ本体は、外周に環状溝を形成すると共に、この環状溝とノブ本体の前面との間にネジ孔を貫通してここに中空ビスを螺合し、更にノブ本体の前面中央にボルトを突設した構成をなし、また前記ノブキャップの背面には、前記ボルトが螺合するネジ孔が形成されて、このネジ孔に、ノブ本体のボルトを螺合させてノブキャップと一体に接合するように構成され、更に前記連結アームは、一方のノブ本体に形成した環状溝の中心を軸として回動自在に支持すると共に、先端側に、他方のノブ本体に形成した環状溝の中心の係合部に着脱自在に係合する切欠部を形成した構成をなし、前記連結アームを回動させて切欠部を他方のノブ本体に形成した係合部に係合させた状態で、ノブ本体に取付けた中空ビスを回転して前進させて連結アームを固定し、更にノブ本体のボルトにノブキャップを螺合して中空ビスを遮蔽するようにしたことを特徴とする石材製扉のノブロック機構。
【請求項３】
中空ビスの中空部断面が多角形に形成されていることを特徴とする請求項１または２記載の石材製扉のノブロック機構。
【請求項４】
連結アームが左右のノブを連結した状態で、連結アームとノブ本体との同一位置にそれぞれ貫通孔を開孔して、この両貫通孔を通して鍵の掛け金を取付けるようにしたことを特徴とする請求項１または２記載の石材製扉のノブロック機構。
【発明の詳細な説明】
【技術分野】
【０００１】
本発明は、石材製扉のノブロック機構に関するものである。
【背景技術】
【０００２】
墓石の前方に石材で形成された香炉や収納庫が設置されている。従来の石材で形成された収納庫１は、例えば図８および図９に示すように前面に石材で形成された観音開きの扉２Ａ、２Ｂが設けら、収納庫１の前面中央側に、左右のノブ３Ａ、３Ｂが突設されている。ノブ３Ａ、３Ｂはステンレスなどの金属で円柱状に形成されたノブ本体４Ａ、４Ｂの外周に環状溝５Ａ、５Ｂが形成され、一方のノブ本体４Ａに形成した環状溝５Ａの中心部を軸６として金属板で形成された連結アーム８が回動自在に支持されている。
【０００３】
更に連結アーム８の先端側にはＵ形切欠部９が形成され、ここを他方のノブ本体４Ｂに形成した環状溝５Ｂの中心の係合部１０に着脱自在に係合させて、両ノブ３Ａ、３Ｂを連結して左右の扉２Ａ、２Ｂが開かないようにロックするようになっている（例えば特許文献１）。
【０００４】
しかしながら従来の構造では、観音開きの扉２Ａ、２Ｂが石材で形成されているので精度良く加工して、扉２Ａ、２Ｂを図示しない蝶番や軸で開閉自在に支持して合わせ部分が平面状になるように組立てることが難しかった。このため、環状溝５Ａ、５Ｂの幅を、連結アーム８のの板厚に比べて大きく形成しなければならず隙間が大きくなるので、扉２Ａ、２Ｂが閉じた状態で平面状にならず、また風が吹く扉２Ａ、２Ｂが前後に振動して、ノブ３Ａ、３Ｂと連結アーム８が当たり金属の衝突音が発生する問題があった。
【０００５】
また従来の構造は、連結アーム８を持ち上げてノブ３Ａ、３Ｂの連結を解除すれば、他人でも簡単に扉２Ａ、２Ｂを開けることができるので、セキュリティー性が低く収納物の盗難やいたずらを防ぐことができなかった。
【特許文献１】特開平９−２８５４９号公報の図２
【発明の開示】
【発明が解決しようとする課題】
【０００６】
本発明は上記問題を改善し連結アームが取付けられるノブの環状溝の幅が、連結アームの板厚に比べて大きく形成されていても、ノブと連結アームがしっかり固定されてガタツキがなく、扉の振動や金属の衝突音の発生を確実に防止すると共に、他人に簡単に扉を開けられないようにしてセキュリティー性を高めた石材製扉のノブロック機構を提供するものである。
【課題を解決するための手段】
【０００７】
本発明の請求項１記載の石材製扉のノブロック機構は、石材で形成された観音開きの扉の前面に突設した左右の金属製ノブと、これを連結する連結アームとからなる石材製扉のノブロック機構において、前記ノブは、扉側に固定されるノブ本体の外周に環状溝を形成すると共に、この環状溝とノブ本体の前面との間にネジ孔を貫通してここに中空ビスを螺合し、更に前記連結アームは、一方のノブ本体に形成した環状溝の中心を軸として回動自在に支持すると共に、先端側に、他方のノブ本体に形成した環状溝の中心の係合部に着脱自在に係合する切欠部を形成した構成をなし、前記連結アームを回動させて切欠部を他方のノブ本体に形成した係合部に係合させた状態で、ノブ本体に取付けた中空ビスを回転して前進させて連結アームを固定するようにしたことを特徴とするものである。
【０００８】
本発明の請求項２記載の石材製扉のノブロック機構は、石材で形成された観音開きの扉の前面に突設した左右の金属製ノブと、これを連結する連結アームとからなる石材製扉のノブロック機構において、前記ノブは、扉側に固定されるノブ本体と、ノブキャップの分離構造とし、前記ノブ本体は、外周に環状溝を形成すると共に、この環状溝とノブ本体の前面との間にネジ孔を貫通してここに中空ビスを螺合し、更にノブ本体の前面中央にボルトを突設した構成をなし、また前記ノブキャップの背面には、前記ボルトが螺合するネジ孔が形成されて、このネジ孔に、ノブ本体のボルトを螺合させてノブキャップと一体に接合するように構成され、更に前記連結アームは、一方のノブ本体に形成した環状溝の中心を軸として回動自在に支持すると共に、先端側に、他方のノブ本体に形成した環状溝の中心の係合部に着脱自在に係合する切欠部を形成した構成をなし、前記連結アームを回動させて切欠部を他方のノブ本体に形成した係合部に係合させた状態で、ノブ本体に取付けた中空ビスを回転して前進させて連結アームを固定し、更にノブ本体のボルトにノブキャップを螺合して中空ビスを遮蔽するようにしたことを特徴とするものである。
【０００９】
本発明の請求項３記載の石材製扉のノブロック機構は、中空ビスの中空部断面が多角形に形成されていることを特徴とするものである。更に請求項４記載の石材製扉のノブロック機構は、連結アームが左右のノブを連結した状態で、連結アームとノブ本体との同一位置にそれぞれ貫通孔を開孔して、この両貫通孔を通して鍵の掛け金を取付けるようにしたことを特徴とするものである。
【発明の効果】
【００１０】
本発明に係る請求項１記載の石材製扉のノブロック機構によれば、ロックする場合には扉を閉じてから連結アームを戻して切欠部をノブの環状溝の内側に形成した係合部に係合させてから、レンチを中空ビスに差し込んで回転させると中空ビスは前進して連結アームを押し付けてノブに固定される。このように中空ビスで連結アームを固定して左右のノブをロックするのでガタツキがなく、風が吹いても扉が振動せず、金属の衝突音の発生を確実に防止することができる。また小さな中空ビスを用いているので、外見上はロックされているように見えす、レンチを持っていない他人は、扉を開けることができずセキュリティー性に優れている。
【００１１】
また請求項２記載の石材製扉のノブロック機構によれば、レンチで中空ビスを前進させて連結アームを固定してから、ノブキャップを被せて中空ビスを隠すので、更にセキュリティー性を向上させることができる。
【００１２】
また請求項３記載の石材製扉のノブロック機構によれば、連結アームを中空ビスでロックした状態で、ノブと連結アームを鍵で二重にロックするので、更にセキュリティー性を向上させることができる。
【００１３】
また請求項４記載の石材製扉のノブロック機構によれば、中空ビスとして中空部断面が多角形に形成されているので、これをレンチで容易に回転させることができ、また専用の変形多角形とし、これに対応する専用のレンチを使用することにより鍵としての役割を持たせることができる。
【発明を実施するための最良の形態】
【００１４】
石材で形成された収納庫の扉に取付けたノブと連結アームがしっかり固定されてガタツキがなく、他人に簡単に扉を開けられないようにした石材製扉のノブロック機構を実現した。
【実施例１】
【００１５】
以下本発明の実施例を図１ないし図４を参照して詳細に説明する。石材で形成された収納庫１は、図１に示すように前面に石材で形成された観音開きの扉２Ａ、２Ｂが設けら、収納庫１の前面中央側に、左右のノブ３Ａ、３Ｂが突設されている。ノブ３Ａ、３Ｂはステンレスなどの金属で円柱状に形成されたノブ本体４Ａ、４Ｂの外周に環状溝５Ａ、５Ｂが形成されている。
【００１６】
一方のノブ本体４Ａは、円板部１２の背面に軸６を形成し、更にこの背面に円筒体１３を一体に突設し、この円筒体１３の内側にねじ孔１４を形成したノブ部材１５とリング状のノブ部材１６とを組み合わせて構成されている。また前記円板部１２の外周側には、内径が３ｍｍ程度の小さなネジ孔１７を貫通して、ここに中空部断面が六角形に形成された外径が３ｍｍ程度の中空ビス１８が螺合し、リング状のノブ部材１６とを組み合わせた状態で、環状溝５Ａに、中空ビス１８が伸出できるように構成されている。
【００１７】
また他方のノブ本体４Ｂは円柱体２０の背面にねじ孔１４が開孔されていると共に、外周に環状溝５Ｂを形成し、この前方の部分に内径が３ｍｍ程度の小さなネジ孔１７を開孔して、ここに中空部断面が六角形に形成された外径が３ｍｍ程度の中空ビス１８が螺合し、環状溝５Ｂに、中空ビス１８が伸出できるように構成されている。また連結アーム８は、図３に示すように金属板で構成され、一方に軸６が貫通する軸取付孔２５が形成され、また他方にＵ形切欠部９が形成されている。
【００１８】
上記ノブ３Ａの取付け方法は、先ずノブ部材１５の軸６に連結アーム８の軸取付孔２５を嵌めてから、円筒体１３をリング状のノブ部材１６に挿着する。この後、扉２Ａに開孔した貫通孔２２の前面に位置させて、扉２Ａの背面側からワッシャー２４を介してボルト２３を挿入して、その先端を円筒体１３のねじ孔１４に螺合させることによりノブ３Ａを扉２Ａに固定する。
【００１９】
またノブ３Ｂの取付け方法は、扉２Ｂに開孔した貫通孔２２の前面に位置させて、扉２Ｂの背面側からワッシャー２４を介してボルト２３を挿入して、その先端をノブ３Ｂの背面に形成したねじ孔１４に螺合させることによりノブ３Ｂを扉２Ｂに固定する。
【００２０】
上記構成の石材製扉のノブロック機構は、図１に示すように連結アーム８を仮想線で示すように上方に持ち上げて回動させることにより、ノブ３Ａ、３Ｂのロックが解除されて、ノブ３Ａ、３Ｂを手でつかんで扉２Ａ、２Ｂを開くことができる。
【００２１】
墓参が終わって帰る時には、扉２Ａ、２Ｂを閉じてから連結アーム８を戻してＵ形切欠部９をノブ３Ｂの環状溝５Ｂの内側に形成した係合部１０に係合させる。この状態は図４（Ａ）に示すようになり、連結アーム８と環状溝５Ａ、５Ｂとの間に隙間があってガタツキのある状態となる。次に図４（Ｂ）に示すように、六角レンチ２６を中空ビス１８に差し込んで回転させると中空ビス１８はネジ孔１７を前進して環状溝５Ｂに突出し、更に前進すると連結アーム８を押し付けてノブ３Ｂに固定される。同様にノブ３Ｂについても中空ビス１８を六角レンチ２６で回転させて、連結アーム８を押し付けてノブ３Ａに固定させる。
【００２２】
従って、中空ビス１８で連結アーム８を固定して左右のノブ３Ａ、３Ｂをロックするのでガタツキがなく、風が吹いても扉２Ａ、２Ｂが振動せず、金属の衝突音の発生を確実に防止することができる。また外径が３ｍｍ程度の小さな中空ビス１８を用いているので、外見上はロックされているように見えす、六角レンチ２６を持っていない他人は、連結アーム８を回動させようとしても動かないので、扉２Ａ、２Ｂを開けることができずセキュリティー性に優れている。また墓参の度に、六角レンチ２６を持って行かなくても、六角レンチ２６は長さが６ｃｍ程度で細く短いので墓石や外柵の石の間などに隠しておくことができる。
【実施例２】
【００２３】
図５および図６は本発明の他の実施例を示すもので、ノブ３Ａ、３Ｂをノブ本体４Ａ、４Ｂとノブキャップ７Ａ、７Ｂの分離構造としたものである。ノブ本体４Ａ、４Ｂはその前面中心にボルト３０、３０を突設した点が異なるだけで他の構成は図２と同様である。また前記ノブキャップ７Ａ、７Ｂは金属円板の背面にねじ孔３１、３１を形成したもので、ここにボルト３０、３０を螺合させることにより一体に組み合わせ、外部から中空ビス１８を見えないようにしたものである。
【００２４】
このノブロック機構では、扉２Ａ、２Ｂを開く時に、先ずノブキャップ７Ａ、７Ｂをねじって取外してから六角レンチ２６で中空ビス１８を戻して連結アーム８の固定を解除する。また墓参が終わって帰る時には、六角レンチ２６で中空ビス１８を前進させて連結アーム８を固定してからノブキャップ７Ａ、７Ｂを被せて中空ビス１８を隠すので、更にセキュリティー性を向上させることができる。
【実施例３】
【００２５】
図７は本発明の異なる他の実施例を示すもので、連結アーム８を図３に示すものより長くして、ここに貫通孔３２を開孔する。またノブ３Ａの円板部１２を長円形状に形成し、ここに前記貫通孔３２と一致する位置に貫通孔３２を開口したもので、他の構成は図６と同様である。
【００２６】
これは連結アーム８をロックした状態で、更に貫通孔３２、３２に鍵３３の掛け金３４を通して二重にロックしたものである。この構造では、更にセキュリティー性を向上させることができる。
【００２７】
なお上記説明では中空ビス１８として中空部断面が六角形に形成されたものを用いて、この回転に六角レンチ２６を用いた場合について示したが、四角形や五角形でも良く、また専用の変形多角形とし、これに対応する専用のレンチを使用することにより鍵としての役割を持たせることができる。
【産業上の利用可能性】
【００２８】
本発明の石材製扉のノブロック機構は、墓前に設置する香炉や収納庫の扉に適用した場合について示したが、納骨室の観音開きの扉にも適用することができる。
【図面の簡単な説明】
【００２９】
【図１】本発明の実施例による石材製扉のノブロック機構を取付けた収納庫の斜視図である。
【図２】図１の石材製扉のノブロック機構を示す断面図である。
【図３】図２の連結アーム部分を示すＡ−Ａ線断面図である。
【図４】（Ａ）は連結アームを固定する前のノブロック機構を示す断面図、（Ｂ）は連結アームを固定している状態のノブロック機構を示す断面図である。
【図５】本発明の他の実施例による石材製扉のノブロック機構を取付けた収納庫の斜視図である。
【図６】図５の石材製扉のノブロック機構を示す断面図である。
【図７】本発明の他の実施例による石材製扉のノブロック機構を取付けた収納庫の斜視図である。
【図８】従来の石材製扉のノブロック機構を取付けた収納庫の斜視図である。
【図９】図９の石材製扉のノブロック機構を示す断面図である。
【符号の説明】
【００３０】
１    収納庫                                                
２Ａ、２Ｂ  扉                                              
３Ａ、３Ｂ  ノブ                                            
４Ａ、４Ｂ  ノブ本体                                        
５Ａ、５Ｂ  環状溝                                          
６    軸                                                    
７Ａ、７Ｂ  ノブキャップ                                    
８    連結アーム                                            
９    Ｕ形切欠部                                            
１０  係合部                                                
１２  円板部                                                
１４  ねじ孔                                                
１５  ノブ部材                                              
１６  リング状のノブ部材                                    
１７  ネジ孔                                                
１８  中空ビス                                              
２５  軸取付孔  
２６  六角レンチ  
３２  貫通孔  
３３  鍵    
３４  掛け金  
【図１】
2005226239.tif 000003
【図２】
2005226239.tif 000004
【図３】
2005226239.tif 000005
【図４】
2005226239.tif 000006
【図５】
2005226239.tif 000007
【図６】
2005226239.tif 000008
【図７】
2005226239.tif 000009
【図８】
2005226239.tif 000010
【図９】
2005226239.tif 000011